(57)【要約】【課題】保護部材を分割させることにより被包装物の全体を覆う保護部材を一体的に形成する場合に比べてコストダウンを図るようにした大型被包装物の梱包構造を提供する。【解決手段】パレット３上に載せられて支持される大型被包装物１の両側部に被さる段ボール製の側部保護部材４，５と、この２つの側部保護部材４，５を繋ぐ段ボール製の連結部材６と、大型被包装物１の両側部を覆う側部保護部材４，５が連結部材６により繋がれた状態において側部保護部材４，５の上から大型被包装物１のほぼ下半分を包み込む段ボール製のスリーブ状の下部保護部材７と、この下部保護部材７の上側で側部保護部材４，５間に現われる大型被包装物１の表面を覆う段ボール製の上部保護部材８とを備え、パレット３の裏面から上部保護部材８の上端面に亘って複数本のバンド９を掛けて梱包した。【選択図】図１６
2008007117.tif 000002
【特許請求の範囲】
【請求項１】
パレット上に載せられて支持される大型被包装物の両側部に被さる段ボール製の側部保護部材と、この２つの側部保護部材を繋ぐ段ボール製の連結部材と、大型被包装物の両側部を覆う前記２つの側部保護部材が前記連結部材により繋がれた状態において側部保護部材の上から大型被包装物のほぼ下半分を包み込む段ボール製のスリーブ状の下部保護部材と、この下部保護部材の上側で前記２つの側部保護部材間に現われる大型被包装物の表面を覆う段ボール製の上部保護部材とを備え、前記パレットの裏面から上部保護部材の上端面に亘って複数本のバンドを掛けて梱包してなることを特徴とする大型被包装物の梱包構造。
【請求項２】
側部保護部材は、縦長の中央板部と、この中央板部の上端に連設された天板部と、この天板部の両側に連設された保持用フラップと、前記中央板部の両側に連設され前記保持用フラップを挟持すべく中央板部の両側に折れ曲がり可能に繋がる外側側板部と、この外側側板部に折れ曲がり可能に繋がる内側側板部とを備えた側板部とから構成されており、前記外側側板部と内側側板部との折り曲げ連設線上に連結部材を差し込むためのスリットが形成されていることを特徴とする請求項１記載の大型被包装物の梱包構造。
【請求項３】
下部保護部材は１枚の大きな段ボール板を角筒状に折り曲げ、その端部同士を互いに係合させることにより組み立てられ、２つの側部保護部材の内、少なくとも一方の側部保護部材に係合させるように構成したことを特徴とする請求項１または２記載の大型被包装物の梱包構造。
【発明の詳細な説明】
【技術分野】
【０００１】
本発明は、例えば大型の貯湯ユニットなどの大型被包装物の梱包構造に関するものである。
【背景技術】
【０００２】
従来の大型の被包装物の梱包装置としては例えば特許文献１に開示されているように底部材の上に被包装物を載せ、被包装物の胴部前面側で底部材と被包装物との間に胴部材を嵌め込み、被包装物の上からプラスチックフィルムを底部材を覆うように被せ、被包装物の頂部に天部材を装着して、天部材と底部材にバンドを掛けて被包装物を梱包するようにしたものが知られている。
【特許文献１】特開２００４−２１７２２３号公報
【発明の開示】
【発明が解決しようとする課題】
【０００３】
上記特許文献１に開示されている梱包装置の構成では、被包装物の上下両端部は天部材と底部材が被せられているものの、被包装物の胴部は胴部前面側を除いてプラスチックフィルムで包まれたままであるので、被包装物の胴部に外側から硬いものが当たった場合、被包装物の胴部に傷が付き易いという問題がある。
【０００４】
本発明の目的は、このような課題を解決するものであり、被包装物のほぼ全体を段ボールからなる保護部材で覆うことにより被包装物の傷付きを防止し、しかも保護部材を分割させることにより被包装物の全体を覆う保護部材を一体的に形成する場合に比べてコストダウンを図るようにした大型被包装物の梱包構造を提供することにある。
【課題を解決するための手段】
【０００５】
本発明の請求項１に記載の大型被包装物の梱包構造は、パレット上に載せられて支持される大型被包装物の両側部に被さる段ボール製の側部保護部材と、この２つの側部保護部材を繋ぐ段ボール製の連結部材と、大型被包装物の両側部を覆う前記２つの側部保護部材が前記連結部材により繋がれた状態において側部保護部材の上から大型被包装物のほぼ下半分を包み込む段ボール製のスリーブ状の下部保護部材と、この下部保護部材の上側で前記２つの側部保護部材間に現われる大型被包装物の表面を覆う段ボール製の上部保護部材とを備え、前記パレットの裏面から上部保護部材の上端面に亘って複数本のバンドを掛けて梱包してなることを特徴とする。
【０００６】
請求項２に記載の大型被包装物の梱包構造は、側部保護部材は、縦長の中央板部と、この中央板部の上端に連設された天板部と、この天板部の両側に連設された保持用フラップと、前記中央板部の両側に連設され前記保持用フラップを挟持すべく中央板部の両側に折れ曲がり可能に繋がる外側側板部と、この外側側板部に折れ曲がり可能に繋がる内側側板部とを備えた側板部とから構成されており、前記外側側板部と内側側板部との折り曲げ連設線上に連結部材を差し込むためのスリットが形成されていることを特徴とする。
【０００７】
請求項３に記載の大型被包装物の梱包構造は、下部保護部材は１枚の大きな段ボール板を角筒状に折り曲げ、その端部同士を互いに係合させることにより組み立てられ、２つの側部保護部材の内、少なくとも一方の側部保護部材に係合させるように構成したことを特徴とする。
【発明の効果】
【０００８】
以上のように、本発明の大型被包装物の梱包構造は、側部保護部材、連結部材、下部保護部材、上部保護部材とパレットを用いて大型被包装物を梱包するのであって、被包装物のほぼ全体を段ボールからなる保護部材で覆って被包装物の傷付きを防止でき、しかも保護部材を分割させることにより大型被包装物の全体を覆う保護部材を一体的に形成する場合に比べて製造上大幅なコストダウンを図ることができる。さらに、大型被包装物の下端にはパレットがセットされているので、輸送に便利な状態で梱包することができる。
【発明を実施するための最良の形態】
【０００９】
以下、本発明の一実施の形態を、図１〜図１６を用いて具体的に説明する。
図において、１は大型の貯湯ユニットなどの大型被包装物であって、この大型被包装物１の下端には脚体２が突設されている。３は大型被包装物１を受ける木製あるいは金属製のパレットで、このパレット３の上に大型被包装物１が載せられ、前記脚体２がパレット３に対してボルト止めされる。
【００１０】
前記大型被包装物１は平面形状が矩形で縦長を呈し、一側部の下端はＬ型に切り欠かれていて、一側面の長さは他側面の長さに比べて短くなっている。
前記大型被包装物１がパレット３上に載せられて、前記脚体２がパレット３に対してボルト止めされた状態において大型被包装物１の両側部には段ボールからなる側部保護部材４，５が被せられ、この２つの側部保護部材４，５を段ボールからなる連結部材６により繋いでいる。７は大型被包装物１の両側部を覆う２つの側部保護部材４，５が連結部材６により繋がれた状態において側部保護部材４，５の上から大型被包装物１のほぼ下半分を包み込む段ボールからなるスリーブ状の下部保護部材で、１枚の大きな段ボール板を角筒状に折り曲げ、その端部同士を互いに係合させることにより組み立てられる。８は前記下部保護部材７の上側で前記２つの側部保護部材４，５間に現われる大型被包装物１の表面を覆う段ボールからなる上部保護部材である。そして、大型被包装物１のほぼ下半分を下部保護部材７により包み込み、下部保護部材７の上側で前記２つの側部保護部材４，５間の大型被包装物１の表面を上部保護部材８で覆った状態で前記パレット３の裏面から上部保護部材８の上端面に亘って互いに直交する方向に複数本のバンド９を掛けて梱包が完了する。
【００１１】
次に、前記側部保護部材４，５、連結部材６、下部保護部材７、上部保護部材８の構成について詳細に説明する。
先ず、前記側部保護部材４，５はそれぞれ、縦長の中央板部１０と、この中央板部１０の上端に連設された天板部１１と、この天板部１１の両側に連設された保持用フラップ１２と、前記中央板部１０の両側に連設された側板部１３とから構成されている。さらに詳しくは、前記側板部１３は中央板部１０の両側に折れ曲がり可能に繋がる外側側板部１４と、この外側側板部１４に折れ曲がり可能に繋がる内側側板部１５と、側部保護部材４の上端部において前記外側側板部１４と内側側板部１５との間に前記保持用フラップ１２を挟んだ状態において前記中央板部１０の上端内面に重なる板部１６と、この板部１６の下側で前記内側側板部１５に折れ曲がり可能に繋がり内側側板部１５と外側側板部１４との間で挟まれる中間板部１７と、この中間板部１７の下側で前記中央板部１０の下端内面に重なる板部１８を備え、前記外側側板部１４を中央板部１０に対して折り曲げ、続いて前記中間板部１７を内側側板部１５の内面に重ねた状態で内側側板部１５を外側側板部１４に対して折り曲げることにより側板部１３が形成される。なお、このとき側部保護部材４の上端部において外側側板部１４と内側側板部１５との間に保持用フラップ１２が挟まれる。前記内側側板部１５および中間板部１７の先端には前記中央板部１０に形成された孔部１９に差し込まれる差し込み片２０が形成されている。さらに、外側側板部１４と内側側板部１５との折り曲げ連設線上に側部保護部材４，５の高さ方向中央部と下端近傍部において前記連結部材６を差し込むためのスリット２１が形成されている。そして、このスリット２１の位置において前記中間板部１７は連結部材６の差し込みの邪魔にならないように切除されている。１７ａはその切除部である。
【００１２】
前記側部保護部材４，５の内、側部保護部材４は天板部１１が大型被包装物１の肩部に載るように大型被包装物１の一側面を覆い、側部保護部材５も天板部１１が大型被包装物１の肩部に載るように大型被包装物１の他側面を覆うもので、一方の側部保護部材４は他方の側部保護部材５に比べて長さが短くなっているだけで、構造は両者ともほぼ同じであるが、一方の側部保護部材４には外側側板部１４の下端近傍に取手孔２２が形成されており、他方の側部保護部材５には外側側板部１４および中間板部１７の中央部に取手孔２３が形成されている点で構成が互いに異なっている。
【００１３】
次に、前記連結部材６は長尺状の３枚の板部６ａ，６ｂ，６ｃが折り重ね可能に繋がり、折り重ね状態において中央に位置する板部６ａの両端に前記スリット２１に差し込まれて係止する爪片６ｄが形成されている。
【００１４】
次に、大型被包装物１のほぼ下半分を包み込む前記下部保護部材７は１枚の大きな段ボール板を角筒状に折り曲げ、その一側部の差し込み片２４を他側部のスリット２５に差し込むとともに、スリット２５に跨って形成された補助差し込み片２６を前記差し込み片２４の折曲線上に形成されたスリット２７に差し込むことにより組み立てられる。そして、この下部保護部材７には前記一方の側部保護部材４の取手孔２２および他方の側部保護部材５の取手孔２３に合致する取手孔２８および２９が形成されていて、これら取手孔２８および２９を完全に切り抜かずに、これら取手孔２８および２９の中に残っている部分を差し込み片２８ａおよび２９ａとして前記側部保護部材４および５の取手孔２２および２３に差し込み係合させるようになっている。
【００１５】
次に、前記上部保護部材８は下部保護部材７の上側で前記２つの側部保護部材４，５間の大型被包装物１の前面を覆う板部８ａと、この板部８ａの上端に繋がり大型被包装物１の天面を覆う板部８ｂと、この板部８ｂの後端に繋がり大型被包装物１の後面上端を覆う板部８ｃとから構成されている。
【００１６】
以上述べた側部保護部材４，５、連結部材６、下部保護部材７、上部保護部材８とパレット３を用いて大型被包装物１を梱包するのであって、保護部材を分割させることにより大型被包装物１の全体を覆う保護部材を一体的に形成する場合に比べてコストダウンを図ることができる。
【００１７】
なお、上記実施の形態では一方の側部保護部材４は他方の側部保護部材５に比べて長さが短くなっているが、大型被包装物１の形状によっては同じ長さであっても良い。
【図面の簡単な説明】
【００１８】
【図１】本発明の一実施の形態における大型被包装物の梱包に用いる一方の側部保護部材の展開図である。
【図２】同他方の側部保護部材の展開図である。
【図３】同連結部材の展開図である。
【図４】同下部保護部材の展開図である。
【図５】同上部保護部材の展開図である。
【図６】同一方の側部保護部材の組立途中の状態を内面側から見た斜視図である。
【図７】同一方の側部保護部材の内面側から見た斜視図である。
【図８】同一方の側部保護部材の外面側から見た斜視図である。
【図９】同他方の側部保護部材の組立途中の状態を内面側から見た斜視図である。
【図１０】同他方の側部保護部材の内面側から見た斜視図である。
【図１１】同他方の側部保護部材の外面側から見た斜視図である。
【図１２】同連結部材の斜視図である。
【図１３】同下部保護部材の組立途中の状態の斜視図である。
【図１４】同下部保護部材の斜視図である。
【図１５】同上部保護部材の斜視図である。
【図１６】（Ａ）〜（Ｅ）は同梱包作業手順を示す斜視図である。
【符号の説明】
【００１９】
１                  大型被包装物
２                  脚体
３                  パレット
４，５              側部保護部材
６                  連結部材
６ａ，６ｂ，６ｃ    板部
６ｄ                爪片
７                  下部保護部材
８                  上部保護部材
８ａ，８ｂ，８ｃ    板部
９                  バンド
１０                  中央板部
１１                  天板部
１２                  保持用フラップ
１３                  側板部
１４                  外側側板部
１５                  内側側板部
１６                  板部
１７                  中間板部
１７ａ                切除部
１８                  板部
１９                  孔部
２０                  差し込み片
２１                  スリット
２２，２３            取手孔
２４                  差し込み片
２５                  スリット
２６                  補助差し込み片
２７                  スリット
２８，２９            取手孔
２８ａ，２９ａ        差し込み片
【図１】
2008007117.tif 000003
【図２】
2008007117.tif 000004
【図３】
2008007117.tif 000005
【図４】
2008007117.tif 000006
【図５】
2008007117.tif 000007
【図６】
2008007117.tif 000008
【図７】
2008007117.tif 000009
【図８】
2008007117.tif 000010
【図９】
2008007117.tif 000011
【図１０】
2008007117.tif 000012
【図１１】
2008007117.tif 000013
【図１２】
2008007117.tif 000014
【図１３】
2008007117.tif 000015
【図１４】
2008007117.tif 000016
【図１５】
2008007117.tif 000017
【図１６】
2008007117.tif 000018